(57)【要約】【課題】複数のスラットに意図しない揺動が生じる虞をなくし得て、複数のスラットの安定した作動を確保することができる縦型ブラインド装置を提供すること。【解決手段】縦型ブラインド装置１は、一対の上枠２及び下枠３と、互いに並置されたリンク機構４及び５と、複数のスラット支持部材８と、スラット支持部材８に支持されている複数のスラット９と、スラット９を横方向Ｈに移動させる移動機構１０と、移動機構１０によるスラット９の横方向Ｈの移動においてリンク機構４及び５に相対的な横方向の位置変化を生じさせてスラット９を傾動させるチルト機構１１と、横方向Ｈにおける他方端９ｂに位置するスラット９の横方向における一方端９ａに向かう移動を禁止する禁止手段１２とを具備している。【選択図】図１
2013113054.tif 000002
【特許請求の範囲】
【請求項１】
横方向に伸びた上枠及び下枠と、互いに並置された第一及び第二のリンク機構と、一方の端部が第一のリンク機構に、他方の端部が第二のリンク機構に夫々連結されてなる複数のスラット支持部材と、各スラット支持部材の夫々に支持されていると共に上枠及び下枠間の開口部に並置された縦方向に伸びた複数のスラットと、横方向における一方端に位置するスラット支持部材を介してスラットを横方向に移動させる移動機構と、この移動機構によるスラットの横方向の移動において第一及び第二のリンク機構に相対的な位置変化を生じさせてスラットを傾動させるチルト機構と、横方向における他方端に位置するスラットの横方向における一方端に向かう移動を禁止する禁止手段とを具備しており、上枠及び下枠の夫々は、横方向に伸びていると共に複数のスラット支持部材を介して複数のスラットを横方向に案内する案内スリットを夫々有している縦型ブラインド装置。
【請求項２】
複数のスラットの夫々には、太陽電池シートが張り付けられている請求項１に記載の縦型ブラインド装置。
【請求項３】
移動機構は、可撓性の走行体と、この走行体の端部を横方向における一方端に位置するスラット支持部材に連結すると共に走行体の走行でもって移動される連結機構と、走行体を走行させる走行装置とを具備している請求項１又は２に記載の縦型ブラインド装置。
【請求項４】
チルト機構は、横方向における一方端に位置するスラット支持部材の横方向の移動と共に横方向に移動するように横方向における一方端に位置するスラット支持部材に設けられている突起と、横方向における一方端に位置するスラット支持部材の横方向における一方端に向かう横方向の移動において突起が当接するカム部材とを具備している請求項１から３のいずれか一項に記載の縦型ブラインド装置。
【請求項５】
禁止手段は、横方向における他方端に位置するスラット支持部材に回動自在に連結されている横移動自在な連結板と、一端部では連結板に連結されている一方、他端部では固定された弾性体とを具備している請求項１から４のいずれか一項に記載の縦型ブラインド装置。
【請求項６】
移動機構は、可撓性の走行体と、この走行体の端部を横方向における一方端に位置するスラット支持部材に連結すると共に走行体の走行でもって移動される連結機構と、走行体を走行させる走行装置とを具備しており、チルト機構は、横方向における一方端に位置するスラット支持部材の横方向の移動と共に横方向に移動するように横方向における一方端に位置するスラット支持部材に設けられている突起と、横方向における一方端に位置するスラット支持部材の横方向における一方端に向かう横方向の移動において突起が当接するカム部材とを具備しており、禁止手段は、横方向における他方端に位置するスラット支持部材に回動自在に連結されている横移動自在な連結板と、一端部では連結板に連結されている一方、他端部では固定された弾性体とを具備しており、上枠及び下枠夫々は、前記案内スリットが形成された中空の枠本体と、この枠本体の内面に設けられていると共に走行体の走行及び連結機構の横方向の移動を案内する案内通路、突起の横方向の移動を案内する案内通路及び連結板の横移動を案内する案内通路を形成する案内通路形成部材とを具備している請求項１又は２に記載の縦型ブラインド装置。
【発明の詳細な説明】
【技術分野】
【０００１】
本発明は、建物の窓等の開口部に配されて、当該開口部を開閉するための縦型ブラインド装置に関する。
【背景技術】
【０００２】
例えば、特許文献１には、ハンガーレールと、ハンガーレールに滑動可能に装着された複数のランナーと、ランナーの夫々に回動可能に釣支されたスラットと、スラットの表面又は／及び裏面に装着されたシート状の太陽電池パネルと、隣り合うスラットの下部に懸架されていると共に可撓性を有する絶縁被覆導線からなるボトムコードとを備え、太陽電池パネルの夫々を電気的に直列に連結するように設けられている太陽電池縦型ブラインドが提案されている。
【先行技術文献】
【特許文献】
【０００３】
【特許文献１】特開平２０１１−１５７７２９号公報
【発明の概要】
【発明が解決しようとする課題】
【０００４】
ところで、斯かる縦型ブラインドでは、複数のスラットは、その上端で夫々支持されているが、その下端は自由端となっているために、複数のスラットに意図しない揺動が生じる虞があり、而して、複数のスラットの安定した作動を確保することが困難である。
【０００５】
本発明は、前記諸点に鑑みてなされたものであって、その目的とするところは、複数のスラットに意図しない揺動が生じる虞をなくし得て、複数のスラットの安定した作動を確保することができる縦型ブラインド装置を提供することにある。
【課題を解決するための手段】
【０００６】
本発明の縦型ブラインド装置は、横方向に伸びた上枠及び下枠と、互いに並置された第一及び第二のリンク機構と、一方の端部が第一のリンク機構に、他方の端部が第二のリンク機構に夫々連結されてなる複数のスラット支持部材と、各スラット支持部材の夫々に支持されていると共に上枠及び下枠間の開口部に並置された縦方向に伸びた複数のスラットと、横方向における一方端に位置するスラット支持部材を介してスラットを横方向に移動させる移動機構と、この移動機構によるスラットの横方向の移動において第一及び第二のリンク機構に相対的な位置変化を生じさせてスラットを傾動させるチルト機構と、横方向における他方端に位置するスラットの横方向における一方端に向かう移動を禁止する禁止手段とを具備しており、上枠及び下枠の夫々は、横方向に伸びていると共に複数のスラット支持部材を介して複数のスラットを横方向に案内する案内スリットを夫々有している。
【０００７】
本発明の縦型ブラインド装置によれば、上枠及び下枠が横方向に伸びていると共に複数のスラット支持部材を介して複数のスラットを横方向に案内する案内スリットを夫々有しているために、複数のスラットに意図しない揺動が生じる虞をなくし得て、複数のスラットの安定した作動を確保することができる。
【０００８】
本発明の縦型ブラインド装置では、複数のスラットの夫々には、太陽電池シートが張り付けられていてもよく、斯かる縦型ブラインド装置によれば、太陽光に追尾させるように複数のスラットを傾動させることにより、太陽光に基づくエネルギーの吸収効率を向上させ得る。
【０００９】
本発明の縦型ブラインド装置では、移動機構は、可撓性の走行体と、この走行体の端部を横方向における一方端に位置するスラット支持部材に連結すると共に走行体の走行でもって移動される連結機構と、走行体を走行させる走行装置とを具備していてもよい。
【００１０】
本発明の縦型ブラインド装置では、チルト機構は、横方向における一方端に位置するスラット支持部材の横方向の移動と共に横方向に移動するように横方向における一方端に位置するスラット支持部材に設けられている突起と、横方向における一方端に位置するスラット支持部材の横方向における一方端に向かう横方向の移動において突起が当接するカム部材とを具備していてもよい。
【００１１】
本発明の縦型ブラインド装置では、禁止手段は、横方向における他方端に位置するスラット支持部材に回動自在に連結されていると共に横移動自在な連結板と、一端部では連結板に連結されている一方、他端部では固定された弾性体とを具備していてもよい。
【００１２】
本発明の縦型ブラインド装置では、移動機構は、可撓性の走行体と、この走行体の端部を横方向における一方端に位置するスラット支持部材に連結すると共に走行体の走行でもって移動される連結機構と、走行体を走行させる走行装置とを具備していてもよく、チルト機構は、横方向における一方端に位置するスラット支持部材の横方向の移動と共に横方向に移動するように横方向における一方端に位置するスラット支持部材に設けられている突起と、横方向における一方端に位置するスラット支持部材の横方向における一方端に向かう横方向の移動において突起が当接するカム部材とを具備していてもよく、禁止手段は、横方向における他方端に位置するスラット支持部材に回動自在に連結されていると共に横移動自在な連結板と、一端部では連結板に連結されている一方、他端部では固定された弾性体とを具備していてもよく、上枠及び下枠の夫々は、前記案内スリットが形成された中空の枠本体と、この枠本体の内面に設けられていると共に走行体の走行及び連結機構の横方向の移動を案内する案内通路、突起の横方向の移動を案内する案内通路及び連結板の横移動を案内する案内通路を形成する案内通路形成部材とを具備していてもよい。
【発明の効果】
【００１３】
本発明によれば、複数のスラットに意図しない揺動が生じる虞をなくし得て、複数のスラットの安定した作動を確保することができる縦型ブラインド装置を提供し得る。
【図面の簡単な説明】
【００１４】
【図１】図１は、本発明の実施の形態の例の斜視説明図である。
【図２】図２は、図１に示す例の一部の断面図である。
【図３】図３は、図１に示す例の一部の断面図である。
【図４】図４は、図１に示す縦枠を含めた図３に示すＩＶ−ＩＶ線断面説明図である。
【図５】図５は、図１に示す縦枠を含めた図３に示すＶ−Ｖ線断面説明図である。
【図６】図６は、図１に示す縦枠を含めた図３に示すＶＩ−ＶＩ線断面説明図である。
【図７】図７は、図１に示す例の伝達手段の説明図である。
【図８】図８は、図１に示す例の一部分解斜視説明図である。
【図９】図９は、図１に示す例のスラット支持部材の斜視説明図である。
【図１０】図１０は、図１に示す例のリンク機構の説明図であって、（ａ）は、その正面説明図、（ｂ）は、その側面説明図である。
【図１１】図１１は、図１に示す例の動作説明図である。
【図１２】図１２は、図１に示す例の動作説明図である。
【図１３】図１３は、図１に示す例の動作説明図である。
【図１４】図１４は、図１に示す例の動作説明図である。
【図１５】図１５は、本発明の好ましい他の例の一部斜視図である。
【発明を実施するための形態】
【００１５】
次に本発明の実施の形態を、図に示す好ましい例に基づいて更に詳細に説明する。なお、本発明はこれら例に何等限定されないのである。
【００１６】
図１から図１０において、本例の縦型ブラインド装置１は、横方向（水平方向）Ｈに伸びた一対の上枠２及び下枠３と、互いに並置されたリンク機構４及び５と、一方の端部６がリンク機構４に、他方の端部７がリンク機構５に夫々連結されてなる複数のスラット支持部材８と、スラット支持部材８の夫々に支持されていると共に上枠２及び下枠３間の開口部Ｐに並置されて縦方向（上下方向）Ｖに伸びた複数のスラット９と、横方向Ｈにおける一方端９ａに位置するスラット支持部材８を介してスラット９を横方向Ｈに移動させる移動機構１０と、移動機構１０によるスラット９の横方向Ｈの移動においてリンク機構４及び５に相対的な横方向Ｈの位置変化を生じさせてスラット９を傾動させるチルト機構１１と、横方向Ｈにおける他方端９ｂに位置するスラット９の横方向Ｈにおける一方端９ａに向かう移動を禁止する禁止手段１２と、一方端９ａで一対の上枠２及び下枠３間に配されていると共に縦方向Ｖに伸びた縦枠１３と、他方端９ｂで一対の上枠２及び下枠３間に配されていると共に縦方向Ｖに伸びた縦枠１４ａと、他方端９ｂに位置するスラット９よりも他方端９ｂ側に生じ得る隙間を閉鎖する閉鎖板１４１とを具備している。
【００１７】
上枠２及び下枠３は、互いに同一に構成されているので、以下、主として下枠３について説明し、上枠２については同符号をもって図示説明すると、下枠３は、中空の枠本体１４と、枠本体１４の内面に嵌着された案内通路形成部材１５とを具備しており、枠本体１４は、横方向Ｈに伸びた案内スリット１６を有しており、案内通路形成部材１５は、走行体としてのチェーン５２の横方向ＨにおけるＡ及びＢ方向の走行を案内する一対の案内通路１７と、連結板１２１の横方向Ｈの移動を案内する一条の案内通路１８と、突起１０１の横方向Ｈの移動を案内する一条の案内通路１９とを形成するように、複数の突起部２０を具備している。一対の案内通路１７のうちの一方の案内通路１７と案内通路１８とに挟まれた案内通路１７は、連結機構５５の横方向Ｈの移動をも案内するようになっている。
【００１８】
上枠２及び下枠３の夫々には、リンク機構４及び５並びにチルト機構１１が収容されており、上枠２側のリンク機構４及び５並びにチルト機構１１と下枠３側のリンク機構４及び５並びにチルト機構１１とは、互いに同様に構成されているので、以下、主として下枠３側のリンク機構４及び５並びにチルト機構１１について説明し、上枠２側については同符号をもって図示説明する。
【００１９】
リンク機構４は、一本の連続した可撓性の帯状体２１と、帯状体２１に固着されていると共に各スラット支持部材８の一方の端部６に回転自在に連結されている複数の軸部材２３とを具備しており、而して、リンク機構４は、一定の間隔をもって互いに連結された複数の軸部材２３を有しており、リンク機構４の複数の軸部材２３は、帯状体２１に固着されていると共に帯状体２１でもって互いに連結されている。
【００２０】
リンク機構５もまた、リンク機構４と同様に、帯状体２１と同様の一本の連続した可撓性の帯状体２５と、帯状体２５に固着されていると共に各スラット支持部材８の他方の端部７に回転自在に嵌装されていると共に軸部材２３と同様の複数の軸部材２６とを具備しており、而して、リンク機構５は、一定の間隔をもって互いに連結された複数の軸部材２６を有しており、リンク機構５の複数の軸部材２６は、帯状体２５に固着されていると共に帯状体２５でもって互いに連結されている。
【００２１】
帯状体２１は、各スラット支持部材８の端部６に回転自在に嵌装されている軸部材２３を特に図１０（ａ）及び（ｂ）に示すように貫通していると共に各貫通部位で軸部材２３に固着されており、一方端９ａ及び他方端９ｂに位置するスラット支持部材８の端部６に回転自在に嵌装されている軸部材２３を横方向Ｈにおける一方の端部２８及び横方向Ｈにおける他方の端部２９で貫通した帯状体２１は、当該端部２８及び端部２９で軸部材２３に固着されて終端している。
【００２２】
帯状体２１と同様に帯状体２５は、各スラット支持部材８の端部７に回転自在に嵌装されている軸部材２６を貫通していると共に各貫通部位で各軸部材２６に固着されており、一方端９ａ及び他方端９ｂに位置するスラット支持部材８の端部７に回転自在に嵌装されている軸部材２６を横方向Ｈにおける一方の端部３２及び横方向Ｈにおける他方の端部３３で貫通した帯状体２５は、当該端部３２及び端部３３で軸部材２６に固着されて終端している。
【００２３】
帯状体２１及び２５の夫々は、ポリエステル等の合成樹脂製糸の織物若しくは編物の帯（ベルト）又は合成樹脂製の不織布の平坦な帯からなっていてもよいが、これに代えて、その他の強靭な可撓性の帯からなっていてもよい。
【００２４】
軸部材２３及び２６の夫々は、特に図１０の（ａ）及び（ｂ）に示すように、円柱部４６と、円柱部４６の両端面に一体的に設けられている一対の軸部４７と、円柱部４６の軸心に関して対称の位置に配されていると共に円柱部４６に一体的に形成されている一対の矩形状突部１１５及び１１６とを具備した合成樹脂製の一体成形物からなり、帯状体２１及び２５の夫々は、円柱部４６及び一対の矩形状突部１１５及び１１６に一体的に固着されていると共に当該円柱部４６及び一対の矩形状突部１１５及び１１６を貫通している。帯状体２１及び２５の夫々への円柱部４６及び一対の矩形状突部１１５及び１１６の夫々の固着は、軸部材２３及び２６の夫々の一体成形時に行うとよい。
【００２５】
一対のリンク機構４及び５と、互いに平行に配されている複数のスラット９の夫々の上端部３９及び下端部４９との間に介在されて各スラット９を一対のリンク機構４及び５に支持させるための各スラット支持部材８は、支持体２２と、支持体２２に嵌着手段４０を介して結合される支持体４２とを有しており、支持体２２は、リンク機構４及び５の軸部材２３及び２６の一端部の軸部４７が回転自在に挿着される軸穴、本例では貫通孔３０を一端部及び他端部（スラット支持部材８の一方及び他方の端部６及び７でもある）の夫々に有したアーム部３１と、アーム部３１の一方の面に一体的に形成されていると共に案内スリット１６を通って上枠２の内外に配されている軸部３６と、軸部３６に一体的に形成されていると共にスラット９の嵌合部６０に嵌合されるようになった嵌合突部３７とを有しており、支持体４２は、リンク機構４及び５の軸部材２３及び２６の他端部の軸部４７が回転自在に嵌挿される軸穴、本例では貫通孔３４を一端部及び他端部（スラット支持部材８の一方及び他方の端部６及び７でもある）の夫々に有したアーム部３５を有している。
【００２６】
軸部材２３及び２６の夫々は、アーム部３１とアーム部３５とに挟まれて配された円柱部４６の両端面に一体的に設けられている軸部４７でアーム部３１及び３５の対応の貫通孔３０及び３４に回転自在に嵌挿されている。
【００２７】
アーム部３１及び３５の一端部及び他端部の対応の貫通孔３０及び３４同士が同軸となるように支持体２２と支持体４２とを互いに連結するようになっている嵌着手段４０は、軸部３６が一体的に形成されたアーム部３１の一方の面に対向する他方の面に一体的に形成されていると共に一対の嵌合用開口４１を有した中空矩形状の筒部４３と、アーム部３５の一方の面に一体的に形成されていると共に嵌合用開口４１において筒部４３に係合する一対の係合突部４４とを有している。
【００２８】
各係合突部４４は、アーム部３５の一方の面に一体的に形成されていると共に筒部４３内に挿着される突部本体４５と、突部本体４５の先端に一体的に形成されていると共に嵌合用開口４１において筒部４３に係合するようになっている爪部４８とを有しており、爪部４８の嵌合用開口４１における筒部４３への係合は、突部本体４５の弾性的撓みを利用したスナップフィット式でもって行われるようになっている。
【００２９】
支持体２２は、筒部４３をも含めて合成樹脂からなる一体成形品であって、支持体４２もまた、一対の係合突部４４をも含めて合成樹脂からなる一体成形品である。
【００３０】
複数のスラット支持部材８と、一定の間隔をもって互いに連結された複数の軸部材２３及び２６を夫々が有した一対のリンク機構４及び５とを具備したスラット支持機構５０に上端部３９及び下端部４９の夫々で支持された各スラット９は、板状であって湾曲されたスラット本体５１と、スラット本体５１の一方の面において上端部３９から下端部４９まで伸びてスラット本体５１の一方の面に一体的に形成された矩形状の嵌合部６０とを具備しており、嵌合部６０は、嵌合突部３７が嵌入できるように中空になっている。各スラット９は、上端部３９及び下端部４９で上枠２側及び下枠３側のスラット支持機構５０によって開口部Ｐにおいて互いに平行になるように支持されている。嵌合部６０は、スラット本体５１の一方の面において上端部３９から下端部４９まで伸びて設ける必要はなく、少なくとも上端部３９及び下端部４９においてスラット本体５１の一方の面に設ければよい。各スラット９のスラット本体５１の室外８８に面する湾曲凸面５１ａには、太陽電池シートが張り付けられており、斯かる太陽電池シートの太陽電池で発生された電力は、適宜のリードを介して蓄電池等に供給されるようになっている。
【００３１】
スラット支持機構５０を介してスラット９を横方向Ｈに移動させる移動機構１０は、上枠２及び下枠３の夫々に配された可撓性の走行体としてのチェーン５２と、自由端となっている一方の端部５３を有したチェーン５２の他方の端部５４を一方端９aに位置するスラット支持部材８に連結する連結機構５５と、チェーン５２をＡ及びＢ方向に走行させる走行装置５６と、チェーン５２のＡ及びＢ方向の走行においてチェーン５２に撓みを阻止する阻止機構５７とを具備している。
【００３２】
チェーン５２、連結機構５５及び阻止機構５７の夫々は、上枠２側及び下枠３側において互いに同様に構成されているので、以下、主として下枠３側について説明し、上枠２側については同符号をもって図示説明する。
【００３３】
チェーン５２は撓まないように案内通路１７に配されており、Ａ及びＢ方向の走行（移動）が案内通路１７により案内されるようになっている。
【００３４】
連結機構５５は、一方端９ａに位置するスラット支持部材８の軸部３６と同心に配されたピン部材６１を介してアーム部３５に回動自在に連結された連結板６２と、連結板６２に一対のピン部材６３を介して固着されているスライダ６４とを具備しており、スライダ６４は、スライダ本体６５と、一対のピン部材６３の夫々を介してスライダ本体６５に回転自在に支持されていると共に一方の案内通路１７と案内通路１８とに挟まれた他方の案内通路１７に横方向Ｈに移動自在に配された一対のローラ６６（一方のみ図示）とを具備しており、スライダ本体６５にチェーン５２の他方の端部５４がピン部材６７を介して回動自在に連結されている。
【００３５】
上枠２側のみに設けられた走行装置５６は、チェーン５２に対する走行力を手動操作で発生する無端の玉チェーン７１と、玉チェーン７１からの走行力をチェーン５２に伝達する伝達手段７２とを具備している。
【００３６】
伝達手段７２は、玉チェーン７１が掛け回されていると共に回転軸７３に固着されたプーリ７４と、回転軸７３に固着された歯車７５と、歯車７５に噛み合っていると共に回転軸７６に固着された歯車７７と、回転軸７６に固着された歯車７８と、歯車７８に噛み合っていると共に回転軸７９に固着された歯車８０と、歯車８０に噛み合っていると共に回転軸８１に固着された歯車８２と、回転軸８１の上端部８３に固着されていると共にチェーン５２が掛け回されているスプロケットホイール（下枠側のスプロケットホイール８４参照）と、回転軸８１の回転に対して一定の制動を与える制動機構８５とを具備している。
【００３７】
プーリ７４に掛け回された玉チェーン７１は、縦型ブラインド装置１が設置される建物の窓等の開口部Ｐにおいて室内８９側に人手により操作可能となるように垂れ下がっている。
【００３８】
回転軸７３、７６、７９及び８１はブラケット９１に回転自在に支持されており、ブラケット９１は、上枠２の枠本体１４の上部内面に固着されている。
【００３９】
歯車７５、７７、７８、８０及び８２は、プーリ７４の回転を減速して回転軸８１に伝達する減速歯車機構を構成しており、一端部８３に上枠２の枠本体１４内に配されたスプロケットホイール（下枠３側のスプロケットホイール８４参照）が固着されている回転軸８１は、縦枠１３内を通って下枠３の枠本体１４内まで伸びており、上枠２側のスプロケットホイールと同様のスプロケットホイール８４が回転軸８１の下枠３側の他端部に固着されており、回転軸８１の他端部側のスプロケットホイール８４には、上枠２内に配されたチェーン５２と同様にして下枠３内に配されたチェーン５２が掛け回されている。
【００４０】
制動機構８５は、ブラケット９１に固着されたハウジング９２内に配された環状の制動板９３と、回転軸８１に固着された環状の制動受板９４と、ハウジング９２及び制動板９３間に配されていると共に制動板９３を制動受板９４に弾性的に押圧させて摩擦接触させるコイルばね９５とを具備しており、制動板９３と制動受板９４との摩擦接触でもって、玉チェーン７１の人手による走行でのプーリ７４の回転では回転軸８１の回転を許容し、玉チェーン７１を人手により走行させない際におけるスラット９の走行等に起因するチェーン５２及びスプロケットホイール８４を介する回転軸８１の回転を禁止するようになっている。
【００４１】
阻止機構５７は、スプロケットホイール８４の外周の周りに配されていると共に取り付け板９６を介して下枠３の枠本体１４の上部内面に固着されたチェーン押え８６及び８７を具備しており、チェーン押え８６及び８７は、スプロケットホイール８４の周りでのチェーン５２の撓みを阻止して、チェーン５２のスプロケットホイール８４への噛み付きを保証するようになっている。
【００４２】
移動機構１０において、玉チェーン７１の人手による一方の方向の走行でのプーリ７４の回転で歯車７５、７７、７８、８０及び８２並びに回転軸８１を介してスプロケットホイール８４が回転されて、例えばチェーン５２がＡ方向に走行されると、端部５４の一方端９ａに向かう横方向Ｈの移動と共に案内通路１７により案内されて連結機構５５が一方端９ａに向かって横方向Ｈに移動されて、連結機構５５のこの移動でもってピン部材６１を介して連結機構５５に回動自在に連結されたアーム部３５を有した一方端９ａに位置するスラット支持部材８もまた一方端９ａに向かって横方向Ｈに移動され、一方端９ａに位置するスラット支持部材８の一方端９ａに向かう横方向Ｈの移動でもって、一対のリンク機構４及び５を介して一方端９ａに位置するスラット支持部材８に連結された他方端９ｂ側のスラット支持部材８も、一方端９ａに位置するスラット支持部材８のすぐ隣のスラット支持部材８から次々に一方端９ａに向かって横方向Ｈに移動される結果、各スラット支持部材８に支持されたスラット９もまた次々に一方端９ａに向かって横方向Ｈに移動されることになり、而して、一方端９ａに位置するスラット支持部材８に連結された移動機構１０は、一方端９ａに位置するスラット支持部材８を牽引してスラット９を次々に一方端９ａに向かって横方向Ｈに移動させるようになっている。
【００４３】
また移動機構１０において、玉チェーン７１の人手による他方の方向の走行でのプーリ７４の回転で歯車７５、７７、７８、８０及び８２並びに回転軸８１を介してスプロケットホイール８４が回転されて、例えばチェーン５２がＢ方向に走行されると、端部５４の他方端９ｂに向かう横方向Ｈの移動と共に案内通路１７により案内されて連結機構５５が他方端９ｂに向かって横方向Ｈに移動されて、連結機構５５の他方端９ｂに向かう横方向Ｈの移動でもってピン部材６１を介して連結機構５５に回動自在に連結されたアーム部３５を有した一方端９ａに位置するスラット支持部材８もまた他方端９ｂに向かって横方向Ｈに移動され、一方端９ａに位置するスラット支持部材８の他方端９ｂに向かう横方向Ｈの移動でもって、一対のリンク機構４及び５を介して一方端９ａに位置するスラット支持部材８に連結された他方端９ｂ側のスラット支持部材８も、他方端９ｂに位置するスラット支持部材８から次々に他方端９ｂに向かって横方向Ｈに移動される結果、各スラット支持部材８に支持されたスラット９もまた次々に他方端９ｂに向かって横方向Ｈに移動されることになり、而して、一方端９ａに位置するのスラット支持部材８に連結された移動機構１０は、一方端９ａに位置するスラット支持部材８を押し出してスラット９を次々に他方端９ｂに向かって横方向Ｈに移動させるようになっている。
【００４４】
本例では、回転軸７３は、歯車７５、７７、７８、８０及び８２からなる減速機構を介して回転軸８１に連結されているが、このようにプーリ７４の回転を間接的に回転軸８１に伝達する代わりに、回転軸８１にプーリ７４を固着して、プーリ７４の回転を回転軸８１に直接に伝達してもよく、また、玉チェーン７１に代えて又は玉チェーン７１と共に電動モータを用いてもよく、この場合には、電動モータの出力回転軸を回転軸７３に連結しても或いは電動モータの出力回転軸を回転軸８１として用いてもよく、この場合、必要に応じて、速度制御可能な電動モータを用いてもよい。
【００４５】
チルト機構１１は、一方端９ａに位置するスラット支持部材８の横方向Ｈの移動と共に移動するように、一方端９ａに位置するスラット支持部材８のアーム部３５において係合突部４４が形成された一方の面に対向する他方の面に一体的に形成されている円柱状の突起１０１と、案内通路形成部材１５に取り付けられていると共に案内通路１９に連通する案内凹所１０２を有したカム部材１０３とを具備している。
【００４６】
チルト機構１１は、チェーン５２のＡ方向の走行による一方端９ａに位置するスラット支持部材８の一方端９ａに向かう横方向Ｈの移動において、一方端９ａに位置するスラット支持部材８に設けられている突起１０１をカム部材１０３に当接させて突起１０１を案内通路１９から案内凹所１０２に案内して、突起１０１が形成されたアーム部３５を有した一方端９ａに位置するスラット支持部材８に軸部３６を中心としたＲ１方向の回動を生じさせ、これによりリンク機構４の帯状体２１に対してリンク機構５の帯状体２５を一方端９ａに向かって横方向Ｈに移動させ、而して、一方端９ａに位置するスラット支持部材８に続くスラット支持部材８にもリンク機構４及び５を介して同様のＲ１方向の回動を生じさせ、而して、全てのスラット９を同様にＲ１方向に回動させる一方、チェーン５２のＢ方向の走行による一方端９ａに位置するスラット支持部材８の他方端９ｂに向かう横方向Ｈの移動において、突起１０１を案内凹所１０２から案内通路１９に案内して一方端９ａに位置するスラット支持部材８に軸部３６を中心としたＲ２方向の回動を生じさせ、これによりリンク機構５の帯状体２５に対してリンク機構４の帯状体２１を一方端９ａに向かって横方向Ｈに移動させ、而して、全てのスラット９を同様にＲ２方向に回動させるようになっている。
【００４７】
禁止手段１２は、案内通路形成部材１５の他方端９ｂ側の部位に配された連結板１２１と、一端部１２２で連結板１２１に連結されており、他端部１２３で案内通路形成部材１５の他方端９ｂ側の端部に固着されて固定されている弾性体としてのコイルばね１２４と、連結板１２１に軸部材１２５を介して回転自在に取り付けられていると共に一方の案内通路１７と案内通路１８とに挟まれた他方の案内通路１７に配されたローラ１２６と、連結板１２１に軸部材１２７及び１２８を介して回転自在に取り付けられていると共に案内通路１８に配された一対のローラ１２９（一個のみ図示）とを具備しており、一対のローラ１２９によって揺動しないようになっている連結板１２１は、他方端９ｂに位置するスラット支持部材８の軸部３６と同心に配された軸部材（図示せず）を介して他方端９ｂに位置するスラット支持部材８のアーム部３５にＲ１及びＲ２方向に回動自在に連結されている。
【００４８】
禁止手段１２は、他方端９ｂに位置するスラット支持部材８の一方端９ａに向かう横方向Ｈの移動による連結板１２１の案内通路１７及び１８に沿った一方端９ａに向かう横方向Ｈの移動において、連結板１２１をコイルばね１２４の弾性力により引っ張り、これにより他方端９ｂに位置するスラット支持部材８の一定以上の一方端９ａに向かう横方向Ｈの移動を弾性的に阻止するようになっている。
【００４９】
閉鎖板１４１は、開口部Ｐの完全閉鎖状態（図１３に示す状態）において、他方端９ｂに位置するスラット９と縦枠１４ａとの間に生じる隙間を閉鎖するために、縦枠１４ａに立設されている。
【００５０】
以上の縦型ブラインド装置１では、開口部Ｐの開放状態においては、突起１０１は案内通路１９に配されて、図１２に示すように帯状体２１及び２５は撓んでおり、スラット９の夫々は図１１に示すように他方端９ｂ側に互いに密に重合されて（束ねられて）いる。玉チェーン７１の人手による一方の方向の走行でのチェーン５２のＡ方向の走行による開口部Ｐの閉鎖に際しては、まず一方端９ａに位置するスラット支持部材８が一方端９ａに向かって横方向Ｈに移動され始め、一方端９ａに位置するスラット支持部材８の一方端９ａに向かう横方向Ｈの移動でもってリンク機構４及び５の帯状体２１及び２５がぴんと伸ばされることにより一方端９ａに位置するスラット支持部材８に続くスラット支持部材８が一方端９ａに向かって横方向Ｈに移動され始め、以下、同様にして順次後続のスラット支持部材８が一方端９ａに向かって横方向Ｈに移動されて、これと共にスラット９も順次一方端９ａに向かって横方向Ｈに移動され、突起１０１が案内通路１９に案内されて一方端９ａに向かって横方向Ｈに移動する際には、スラット９がほぼ横方向Ｈに直交する方向の傾動状態に保持される結果、図１及び図２に示すように、開口部Ｐは、スラット９でもって簾状に閉鎖される。
【００５１】
更にチェーン５２がＡ方向に走行されて、開口部Ｐの完全閉鎖直前位置で帯状体２１及び２５が伸びきる一方、帯状体２１及び２５を介して他方端９ｂに位置するスラット支持部材８がコイルばね１２４の弾性力に抗して若干一方端９ａに向かって横方向Ｈに移動され、突起１０１が案内凹所１０２に臨んでカム部材１０３に当接されると、一方端９ａに位置するスラット支持部材８がＲ１方向に回動され始めて、帯状体２５の端部３２が帯状体２１の端部２８に対してより一方端９ａに向かって横方向Ｈに移動されるようになり、これにより一方端９ａに位置するスラット９がＲ１方向に回動されると共に一方端９ａに位置するスラット支持部材８の回動が帯状体２１及び帯状体２５を介して他方端９ｂ側のスラット支持部材８に伝達されて全てのスラット支持部材８及びスラット９が図１３及び図１４に示すようにほぼ横方向Ｈの傾動状態に保持される結果、スラット９により開口部Ｐは全閉されることになる。
【００５２】
開口部Ｐの開放においては、玉チェーン７１が人手により前記と逆に走行され、これにより突起１０１が案内凹所１０２から案内通路１９へ案内され、一方端９ａに位置するスラット支持部材８の他方端９ｂに向かう横方向Ｈの移動と共に帯状体２１及び２５は他方端９ｂ側から順次撓むようになる。
【００５３】
以上の縦型ブラインド装置１では、移動機構１０が一方端９ａに位置するスラット支持部材８を介してスラット９を横方向Ｈに移動させるようになっているために、図１１に示すように開口部Ｐの完全開放ではスラット９の束を開口部Ｐの他方端９ｂ側に配することができる結果、開口部Ｐの完全開放でスラット９に邪魔されないで採光を行い得、更に、開放時の開放感を十分に得ることができ、しかも、リンク機構４及び５が、可撓性の帯状体２１及び２５と、一定の間隔をもって帯状体２１及び２５に固着されていると共に帯状体２１及び２５でもって互いに連結されている複数の軸部材２３及び２６とを具備しているために、リンク機構４及び５の組立、保守が簡単となり、しかも、帯状体２１及び２５及び複数の軸部材２３及び２６を合成樹脂等で製造することにより軽量化を図り得て、スラット９の横方向Ｈの移動にそれほど大きな力を必要としなくなる。
【００５４】
縦型ブラインド装置１によれば、リンク機構４及び５の軸部材２３及び２６の一端部の軸部４７が回転自在に挿着される貫通孔３０をアーム部３１がその一端部及び他端部に有し、リンク機構４及び５の軸部材２３及び２６の他端部の軸部４７が回転自在に挿着される貫通孔３４をアーム部３５がその一端部及び他端部に有し、しかも、アーム部３１及び３５の一端部及び他端部の対応の貫通孔３０及び３４同士が同軸となるように、アーム部３１及び３５が嵌着手段４０を介して互いに結合されるようになっているために、リンク機構４及び５の軸部材２３及び２６を両持ちでもって回転自在に支持でき、しかも、軸部材２３及び２６の滑らかな回動を保証できる結果、剛性のリンク部材に代えて可撓性の帯状体２１及び２５を用いても、帯状体２１及び２５を容易に伸長させ、撓ませることができて、スラット９の横方向Ｈの移動を滑らかに行わせることができ、而して、スラット９を適切に支持することができる。
【００５５】
縦型ブラインド装置１によれば、開口部Ｐの完全閉鎖において閉鎖板１４１でもって他方端９ｂに位置するスラット９よりも他方端９ｂ側に生じる隙間を閉鎖することができる結果、この隙間を介する雨水の侵入等を阻止できて、より完全な開口部Ｐの完全閉鎖を得ることができる。
【００５６】
縦型ブラインド装置１によれば、爪部４８の嵌合用開口４１における筒部４３への係合が突部本体４５の弾性的撓みを利用したスナップフィット式でもって行われるようになっているために、嵌着手段４０を介する支持体２２と支持体４２との互いの結合を簡単に行い得、短時間でスラット支持部材８の組立、保守を行うことができる。
【００５７】
上記の例において、端部５３及び５４を有する有端のチェーン５２に代えて、無端のチェーンでもよく、この場合には、スプロケットホイール８４に加えて他のスプロケットホイールを配置して、両スプロケットホイール間に無端チェーンを掛け渡すようにするとよく、斯かる無端チェーンを用いると阻止機構５７を省き得る。加えて、チェーン５２に代えて、タイミングベルト等でもよく、タイミングベルトを用いる場合には、スプロケットホイール８４に代えて歯付プーリを用いるとよい。
【００５８】
また上記では、アーム部３１の他方の面に嵌合用開口４１を有した中空矩形状の筒部４３を一体的に形成し、アーム部３５の一方の面に係合突部４４を一体的に形成して嵌着手段４０を構成したが、これに代えて、アーム部３５の一方の面に嵌合用開口４１を有した中空矩形状の筒部４３を一体的に形成し、アーム部３１の他方の面に嵌合用開口４１において筒部４３に係合する係合突部４４を一体的に形成して嵌着手段４０を構成してもよい。
【００５９】
更にまた上記では、一対の嵌合用開口４１の夫々において筒部４３に係合する一対の係合突部４４をもって嵌着手段４０を構成したが、これに代えて、図１５に示すように、アーム部３５の一方の面に一体的に形成されていると共に一個の嵌合用開口１５１において筒部４３に係合する一個の係合突部１５２と、係合突部１５２を挟んで配されていると共に筒部４３に嵌入される一対の嵌入突部１５３とを具備して嵌着手段４０を構成してもよく、この場合、係合突部１５２は、筒部４３内に挿着される突部本体１５５と、突部本体１５５の先端に一体的に形成されていると共に嵌合用開口１５１において筒部４３に係合するようになっている爪部１５６とを有しており、爪部１５６の嵌合用開口１５１における筒部４３への係合は、突部本体１５５の弾性的撓みを利用したスナップフィット式でもって行われるようになっている。
【００６０】
縦型ブラインド装置１によれば、横方向Ｈに伸びた一対の上枠２及び下枠３と、互いに並置されたリンク機構４及び５と、一方の端部６がリンク機構４に、他方の端部７がリンク機構５に夫々連結されてなる複数のスラット支持部材８と、スラット支持部材８の夫々に支持されていると共に上枠２及び下枠３間の開口部Ｐに並置された縦方向Ｖに伸びた複数のスラット９と、横方向Ｈにおける一方端９ａに位置するスラット支持部材８を介してスラット９を横方向Ｈに移動させる移動機構１０と、移動機構１０によるスラット９の横方向Ｈの移動においてリンク機構４及び５に相対的な横方向Ｈの位置変化を生じさせてスラット９を傾動させるチルト機構１１と、横方向Ｈにおける他方端９ｂに位置するスラット９の横方向Ｈにおける一方端９ａに向かう移動を禁止する禁止手段１２とを具備しており、上枠２及び下枠３は、横方向Ｈに伸びていると共に複数のスラット支持部材８を介して複数のスラット９を横方向Ｈに案内する案内スリット１６を夫々有しているために、複数のスラット９に意図しない揺動が生じる虞をなくし得て、複数のスラット９の安定した作動を確保することができる。
【００６１】
縦型ブラインド装置１によれば、複数のスラット９の夫々には、太陽電池シートが張り付けられているために、太陽光に追尾させるように複数のスラット９を傾動させることができ、而して、太陽光に基づくエネルギーを利用できると共にその吸収効率を向上させ得る。
【符号の説明】
【００６２】
１  ブラインド装置
４、５  リンク機構
８  スラット支持部材
９  スラット
１０  移動機構
１１  チルト機構
１２  禁止手段
【図１】
2013113054.tif 000003
【図２】
2013113054.tif 000004
【図３】
2013113054.tif 000005
【図４】
2013113054.tif 000006
【図５】
2013113054.tif 000007
【図６】
2013113054.tif 000008
【図７】
2013113054.tif 000009
【図８】
2013113054.tif 000010
【図９】
2013113054.tif 000011
【図１０】
2013113054.tif 000012
【図１１】
2013113054.tif 000013
【図１２】
2013113054.tif 000014
【図１３】
2013113054.tif 000015
【図１４】
2013113054.tif 000016
【図１５】
2013113054.tif 000017